(57)【特許請求の範囲】
【請求項１】
多レンズ光学系（６２）の光学面（Ｓ１、Ｓ２、Ｓ３）の曲率中心（Ｋ１、Ｋ２、Ｋ３）の位置を測定する方法であって、
ａ）干渉計（２４）を用いて参照軸（３４）に沿って前記光学面（Ｓ１、Ｓ２、Ｓ３）の間隔を測定し（ＳＴ１）、
ｂ）光角測定デバイス（２２）を用いて前記光学面（Ｓ１、Ｓ２、Ｓ３）の前記曲率中心（Ｋ１、Ｋ２、Ｋ３）の前記位置を測定し（ＳＴ２）、その際、前記光学系（６２）内のある光学面の曲率中心の測定の間に、当該光学面及び前記光角測定デバイス（２２）の間にある光学面の曲率中心の測定された前記位置と、ステップａ）で測定された前記光学面の前記間隔とが、計算的に考慮される（ＳＴ３、ＳＴ４）、
ステップを有し、
前記光学面の前記間隔を測定する前に、前記光角測定デバイス（２２）を用いて前記光学系（６２）の光軸（９２）が一時的に決定され、前記光学系（６２）及び前記干渉計（２４）は、一時的に決定された前記光学系（９２）が前記参照軸（３４）と揃うように、相互に正しい方向に置かれ、
前記光軸（９２）の一時的な決定のために、試験光が前記光学系（６２）の一方の側から結合され、反対側で、前記光学系から発する試験光が、前記光角測定デバイス（２２）の光センサ（５０）により位置が決定されるように記録され、
前記試験光は、前記干渉計（２４）内に配置された光源（６４）により生成される、方法。
【請求項２】
ステップｂ）が、ステップａ）の前に行われ、ステップｂ）で測定された前記曲率中心（Ｋ１、Ｋ２、Ｋ３）の前記位置が、前記光軸（９２）の一時的な決定のために用いられる、請求項１に記載の方法。
【請求項３】
前記光軸（９２）は、測定される少なくともいくつかの光学面（Ｓ１、Ｓ２、Ｓ３）の曲率中心（Ｋ１、Ｋ２、Ｋ３）の位置と、このように決定される前記曲率中心（Ｋ１、Ｋ２、Ｋ３）の前記位置を通る回帰直線により定義される光軸（９２）とにより、一時的に決定される、請求項１又は２に記載の方法。
【請求項４】
前記試験光の位置が決定される記録の間に、前記光学系が前記参照軸（３４）の周りを回転され、回転される間に前記試験光が前記光センサ（５０）に当たる位置の変化から、前記光軸（９８）の前記参照軸（３４）からのずれが測定される、請求項１乃至３のいずれか一項に記載の方法。
【請求項５】
ステップａ）での前記間隔の測定及びステップｂ）での前記曲率中心（Ｋ１、Ｋ２、Ｋ３）の前記位置の測定は、前記光学系（６２）の同側から行われる、請求項１乃至４のいずれか一項に記載の方法。
【請求項６】
前記干渉計（２４）により用いられる間隔測定光及び前記光角測定デバイス（２２）により用いられる角度測定光は、同じ焦点調節光学列により前記光学系（９２）に向けられる、請求項５に記載の方法。
【請求項７】
前記干渉計は、短コヒーレンス干渉計である、請求項１乃至６のいずれか一項に記載の方法。
【請求項８】
多レンズ光学系（６２）の光学面（Ｓ１、Ｓ２、Ｓ３）の曲率中心（Ｋ１、Ｋ２、Ｋ３）の位置を測定する装置であって、
ａ）参照軸（３４）に沿って前記光学面（Ｓ１、Ｓ２、Ｓ３）の間隔を測定するように設定された干渉計（２４）と、
ｂ）前記光学面（Ｓ１、Ｓ２、Ｓ３）の前記曲率中心（Ｋ１、Ｋ２、Ｋ３）の前記位置を測定するように設定された光角測定デバイス（２２）と、
ｃ）前記光学系（６２）内のある光学面の曲率中心（Ｋ１、Ｋ２、Ｋ３）の位置の測定に関連して、当該光学面及び前記光角測定デバイス（２２）の間にある光学面の曲率中心の測定された前記位置と、前記干渉計（２４）により測定された前記光学面の前記間隔とを、計算的に考慮するように設定された計算ユニット（２６）と、
を有し、
試験光を前記光学系（６２）に当該系の一方の側から結合させるように設定された試験光の光源（６４）と、
前記光学系（６２）の反対側で発する試験光を、位置が決定されるように記録するように設定された位置決定光センサ（５０）と、
をさらに有し、
前記試験光の光源（６４）は、前記干渉計（２４）内に統合される、装置。
【請求項９】
前記光学系（６２）を前記参照軸（３４）の周りで回転させるように設定された回転機構をさらに有する、請求項８に記載の装置。
【請求項１０】
前記干渉計（２４）及び前記光角測定デバイス（２２）は、前記光学系（６２）の同側に配置される、請求項８又は９に記載の装置。
【請求項１１】
焦点調節光学列（４６）をさらに有し、それを通って、前記干渉計（２４）により生成された間隔測定光及び前記光角測定デバイス（２２）により生成された角度測定光は、前記光学系（６２）に向けられる、請求項１０に記載の装置。
【請求項１２】
前記干渉計は、短コヒーレンス干渉計である、請求項８乃至１１のいずれか一項に記載の装置。
【発明の詳細な説明】
【技術分野】
【０００１】
本発明は、多レンズ光学系の光学面の曲率中心の位置を測定する工程及び装置に関する。
【背景技術】
【０００２】
高品質多レンズ光学系の製造の間に、レンズは、高精度で相互に正しい方向に置かれなければならない。そのような方向付けを行い得るために、光学面の位置を計測的（metrologically）に決定する必要がある。レンズの調節の間に位置決めの精度の確認が行われるとしても、そのような測定は通常少なくとも品質管理の範囲内で行われる。
【０００３】
多レンズ光学系の検査に関連する重要な幾何学量は、光学面の曲率中心の位置により構成される。理想的に、曲率中心は、正確に、通常レンズを収容するレンズマウントの対称軸と一致する共通参照軸上にある。しかし、実際の光学系では、製造及び組み立てへの耐性により、曲率中心は、この参照軸の周りに不規則に分布する。曲率中心の参照軸からの間隔が大きすぎると、光学系の結像特性は過度に悪化する。
【０００４】
多レンズ光学系の光学面の曲率中心を測定する工程は、独国特許出願公開第１０ ２００４ ０２９ ７３５号明細書から知られている。この工程では、個々の光学面の曲率中心の位置は、オートコリメータを用いて連続して測定される。曲率中心の位置が検査される最初の表面は、オートコリメータの最も近くにある表面である。この最初の表面の曲率中心の位置が決定され次第、次の表面が検査される。しかし、最初の表面は、次の表面の検査に影響を与える。この理由により、最初の表面の光学的効果は、次の表面の曲率中心の位置の決定で、計算的に考慮されなければならない。最初の表面の光学的効果の考慮では、最初の表面の設計データ、特に次の表面に対して望まれる曲率半径及び望まれる間隔（即ち、第１のレンズの中心の厚み）が当てにされる。加えて、最初の表面の曲率中心の以前測定された位置が、計算的に考慮される。
【０００５】
手順は、残りのすべての表面についても同様である。計算的評価の間に、前方にあるすべての光学面の曲率中心の測定された位置、及びそれ以外には設計データが、結果として常に考慮される。
【発明の概要】
【発明が解決しようとする課題】
【０００６】
本発明の目的は、多レンズ光学系の光学面の曲率中心の位置を測定する公知の工程を、測定のより高い精度を目的として改善することである。さらに、本発明の目的は、そのような改善された工程の実装に適する装置を指定することである。
【課題を解決するための手段】
【０００７】
本発明に従って、方法に関する目的は、多レンズ光学系の光学面の曲率中心の位置を測定する方法であって、
ａ）干渉計を用いて参照軸に沿って表面の間隔を測定し、
ｂ）光角測定デバイスを用いて表面の曲率中心の位置を測定し、その際、光学系内のある表面の曲率中心の測定の間に、この表面及び角度測定デバイスの間にある表面の曲率中心の測定された位置と、ステップａ）で測定された表面の間隔とが、計算的に考慮される、
ステップを有する方法により達成される。
【０００８】
すでに検査された光学面の光学的効果の決定に関連して、表面の望まれる間隔、即ち光学設計から導出されるデータに基づくのではなく、これらの間隔が干渉計を用いて高精度に測定されれば、曲率中心の位置の測定に関連する精度は、大幅に向上され得ることが明らかになっている。例えば、光学面の曲率半径は、通常、製造工学の観点から非常に高い正確さで認識され得るので、このことは、レンズの中心の厚みについても限定的に有効である。しかし、とりわけ光学系の組み立ての間に、レンズ間の空気分離（air separation）の設定に関連して、調節誤りが頻繁に起こる。
【０００９】
光学面の実際の間隔は、結果として、時には望まれる間隔と明らかに異なるかもしれないので、望まれる間隔だけが計算的評価で考慮される場合に、重大な誤りが曲率中心の位置の決定で起こるかもしれない。
【００１０】
加えて、多レンズ光学系の検査に関連して、反復評価工程による光学面の検査の間の測定誤りは、角度測定系から見て、下流にあるすべての光学面の測定の精度に著しい効果を有するという特性が現れる。逆に言えば、問題の光学系について行われた測定のすべての測定誤りは、累積的に、角度測定系から見て、光学系の最後の表面の曲率中心の位置の測定値に入り込む。このように、実際の間隔の望まれる間隔からの比較的小さなずれでさえ、少なくとも角度測定系から見て、最後の光学面の測定の精度に、非常に好ましくない効果を有し得る。
【００１１】
本発明の、光学面の間隔の独立した測定の実装により、特定の光学面の曲率中心の位置の決定に関連して、この表面及び角度測定系の間にある表面の望まれる間隔ではなく、実際の間隔に基づくことが可能である。このことは、特に多くの光学面を有する光学系の場合に、とりわけ「背面（rear）」光学面、即ち検査のために角度測定光がいかなる場合も２度通過しなければならない前方にある非常に多くの表面について、測定の精度の大幅な向上をもたらす。
【００１２】
ステップｂ）での曲率中心の位置の検査に関連して、光学面は光学系に配置される順番に検査される必要がないことに注意すべきである。なぜなら、特定の表面の前方にある表面の光学的効果の計算的考慮は、光学系について測定されたすべてのデータが記録されたときに行われ得るからである。それゆえに、測定されたデータの記録に関連する順番は、他の基準に従って広範な制限内で自由に規定されてよい。
【００１３】
そのような別の基準は、例えば、角度測定デバイス内の光学部品の移動経路を最小化することにより、測定時間をできる限り短くすることでもよい。角度測定デバイスの場合に、例えば、オートコリメータの問題であれば、測定されたデータの記録に関連する順番は、光学面が光学系での配置の順番ではなく、曲率中心の配置の順番に測定されるように規定され得る。そのとき、最初に検査されるのは、例えば、オートコリメータの最も近くに配置される光学面ではなく、オートコリメータのできる限り近くにある曲率中心を有する表面である。次に、オートコリメータの次に近くにある曲率中心を有する表面が検査される。このように、焦点調節だけのために用いられるオートコリメータのズーム光学（optics）は、光学系の設計データからの結果等の、曲率点（point of curvature）の連続した望まれる位置に接近しなければならない。ステップａ）及びｂ）は、入れ替えられてもよい。そのときは、従来技術の場合のように、表面の望まれる間隔の仮定の下、すべての曲率中心のおおよその位置が一時的に測定される。干渉計を用いた間隔の測定の後に、これらの測定値が、続いて計算的に補正される。又は、ステップｂ）が繰り返され、曲率中心の次の測定の評価の間に、間隔の計算的考慮が行われる。光学面の実際の間隔のより正確な知識を用いた曲率中心の次の測定は、頻繁に、より高い精度で行われ得る。
【００１４】
しかし、干渉計を用いた表面の間隔の測定は、曲率中心の位置の検査に関連する精度を向上させるだけではない。逆に、曲率中心の位置の測定は、表面の間隔がより精度よく検査されるのを可能にする。なぜなら、干渉計から表面に向けられる間隔測定光が検査される表面に垂直に当たる場合に限り、干渉計を用いた表面の間隔の精度のよい検査が可能だからである。表面がわずかに偏心（tilting）している場合に、表面から干渉計に反射される光の強度は、大幅に弱められるので、非常に低い信号対雑音比により、測定が不能であるか、よくて比較的精度の低い測定が可能であるかである。加えて、間隔測定光が非垂直に当たる場合に、反射された光が十分に高い強度を有するときでさえ、最終的に、測定されるのは、光軸に沿った表面の実際に望まれる間隔ではない。しかし、このことは注目されておらず、この理由により特に不利である。
【００１５】
光学系の光軸が、間隔がそれに沿って測定される参照軸と揃っていれば、間隔測定光は光学面に垂直に当たる。この理由により、方法の有利な構成では、角度測定デバイスを用いてステップａ）に従って間隔を検査する前に、光学系の光軸が一時的に決定される。続いて、光学系及び干渉計は、一時的に決定された光軸が参照軸と揃うように、相互に正しい方向に置かれる。これに関連して、一般に光学系は、固定の干渉計に対して調節される。しかし、原理上、固定の光学系に対する干渉計の調整も可能である。
【００１６】
不十分に調節された多レンズ光学系の光軸は、それ自体で、明確に定義されない。この理由により、そのような系の「一時的に決定された光軸」により、事前に決定された基準に従って一時的な光軸として定義された軸は理解される。事前に決定されたこの基準は、定性的に、例えば回帰直線の意味で、一時的に測定された曲率中心が、この軸の（できる限り）近くにあるという特性を説明する。
【００１７】
光学系の光軸を一時的に決定するために、ステップａ）の前にステップｂ）が行われてもよい。ステップｂ）で測定された曲率中心の位置は、光軸の一時的な決定のために用いられる。
【００１８】
光軸は、例えば、測定される少なくともいくつかの表面の曲率中心の位置と、このように決定された曲率中心を通る回帰直線により規定される光軸により、一時的に決定されてもよい。一時的な光軸を決定するために、２つの表面、例えば、光学系の最初及び最後の表面だけが用いられれば、回帰直線は連結線（connecting line）になる。
【００１９】
一時的な光軸の規定に関連して、個々の表面に重み付けを行うことも可能である。考慮される１つの可能性は、より強く屈折する表面、即ちより小さな曲率半径を有する表面に、より重く重み付けを行うことである。なぜなら、これらの表面は、一般に光学系の光学特性により強い影響を与えるからである。考慮される別の可能性は、光軸の一時的な決定に関連して、光学系の個々の部分だけを考慮することである。
【００２０】
光軸を一時的に決定する別の可能性は、試験光を光学系の一方の側から結合（coupling in）させ、反対側で、光学系から発する試験光を、角度測定デバイスの光センサを用いて位置が決定される（location-resolved）ように記録することにある。これに関連して、誤って調節された光学面の場合に、試験光は屈折により偏向され、この理由により参照軸の交差点で光センサに当たらないという事実が利用される。
【００２１】
試験光の位置が決定される記録の間に光学系が参照軸の周りを回転されれば、光軸のそのような一時的な決定は、特に効果的に成功する。回転される間に試験光が光センサに当たる位置の変化から、光軸の参照軸からのずれが定性的に推測され得る。光学系が回転される間に試験光が光センサに当たる位置は、円軌道上を移動する。参照軸に対する光学系の最適な方向付けは、円軌道の半径が最小のときに得られる。
【００２２】
試験光は、例えば、干渉計内に配置される光源により生成されてもよい。この光源の場合に、間隔測定光のためにいずれにせよ干渉計内に提供される光源の問題、又はその光源と独立した試験光の光源の問題かもしれない。
【００２３】
参照軸に対して曲率中心の実際の測定を開始する前に光学系を正しい方向に置くさらなる可能性は、曲率中心により規定される一時的に決定された光軸が参照軸と最適に揃っていれば、角度測定デバイスにより確認された曲率中心を用いて、干渉計により生成された間隔測定光が光学面での反射の後に有する強度を計算することにある。この光学系は、干渉計により測定される強度が計算された強度にできる限り近くなるように、偏心（tilting）及び／又は移動により正しい方向に置かれる。
【００２４】
一実施形態では、ステップａ）での間隔の測定と、ステップｂ）での曲率中心の位置の測定は、光学系の同側から行われる。結果として、測定装置のより小型の構造が、頻繁に達成され得る。
【００２５】
これに関連して、干渉計により用いられる間隔測定光と、角度測定デバイスにより用いられる角度測定光は、同じ焦点調節光学列（optical train）により光学系に向けられてもよい。
【００２６】
本発明の方法は、非球面の場合に、曲率中心の位置が測定されることも可能にする。この場合の曲率中心は、非球面の球面部分に対してのみ定義される。従来の非球面方程式により記述可能な非球面の場合に、曲率中心は、曲率半径Ｒの球の中心により与えられる。方程式において、ｚは光軸と平行な、問題の表面の矢状（sagitta）を示し、ｈは光軸からの半径方向（radial）間隔を示し、ｃ＝１／Ｒは問題の表面の頂点の曲率を示し、ｋは円錐定数（conic constant）を示し、Ａ、Ｂ、Ｃ、Ｄ、Ｅ、Ｆ、Ｇ、Ｈ、及びＪは非球面定数（aspheric constant）を示す。
【００２７】
【数１】
0005902448.tif 000002
【００２８】
一方、それに対して非球面が回転対称であり、その上に球面部分の曲率中心があるかもしれないが、その上になければならないとは限らない対称軸の位置は、本発明の方法により確認され得ない。平面も、本発明の方法を用いて検査され得る。しかし、この場合に、角度測定デバイスは、曲率中心の位置ではなく、平面が参照軸に対して有する角度を提供する。
【００２９】
装置に関して、序論で述べた目的は、多レンズ光学系の光学面の曲率中心の位置を測定する装置であって、
ａ）参照軸に沿って表面の間隔を測定するように設定された干渉計と、
ｂ）光学面の曲率中心の位置を測定するように設定された光角測定デバイスと、
ｃ）光学系内のある表面の曲率中心の位置の測定に関連して、この表面及び角度測定デバイスの間にある表面の曲率中心の測定された位置と、干渉計により測定された表面の間隔とを、計算的に考慮するように設定された計算ユニットと、
を有する装置を用いて達成される。
【００３０】
方法に対して上述した構成及び利点は、対応してここで適用される。
【００３１】
装置は、試験光を光学系にその一方の側から結合させるように設定された試験光の光源を示（exhibit）してもよい。さらに、光学系の反対側で発する試験光を、位置が決定されるように記録するように設定された位置決定（location-resolving）光センサが提供されてもよい。特に、試験光の光源は、干渉計内に統合されてもよい。
【００３２】
加えて、装置は、光学系を参照軸の周りで回転させるように設定された回転機構を示してもよい。
【００３３】
干渉計及び角度測定デバイスは、光学系の同側に配置されてもよい。この場合に、干渉計により生成された間隔測定光及び角度測定デバイスにより生成された角度測定光が、それを通って光学系に向けられる、焦点調節光学列が提供されてもよい。
【図面の簡単な説明】
【００３４】
本発明のさらなる特徴及び利点は、図面に基づく実施形態の以下の説明から明らかになるだろう。
【００３５】
【図１】すべてのレンズが参照軸に対して完全に正しい方向に置かれている、多レンズ光学系の子午線的断面図（meridional section）。
【図２】参照軸に対して偏心（tilted）している、図１に示される光学系の個々のレンズ。
【図３】多レンズ光学系の曲率中心の略図。
【図４】曲率中心が参照軸と異なる直線上にある、図３のような略図。
【図５】第１の実施形態による、本発明の測定装置の子午線的断面図。
【図６】参照軸上に正確に正しい方向に置かれた球面レンズの検査の間に測定装置で用いられるオートコリメータの子午線的断面図。
【図７】偏心（decentred）した球面レンズを有する、図６のオートコリメータ。
【図８】間隔測定の間に光検出器により記録される強度が、測定装置の干渉計の参照光線が進む光路長の関数として描かれているグラフ。
【図９】干渉計及びオートコリメータが試験片の同側に配置される別の実施形態による、本発明の測定装置の子午線的断面図。
【図１０】本発明の方法の重要なステップを説明するフローチャート。
【発明を実施するための形態】
【００３６】
１．序論
図１は、子午線的断面図で、１０により全体が示される光学系を示す。光学系は、７枚のレンズＬ１〜Ｌ７を有する。２枚のレンズＬ３及びＬ４は、隙間なく１つに接合されており、アクロマート（achromat）として用いられるダブレット（doublet）を形成する。レンズＬ１〜Ｌ７は、不図示のレンズマウントにいかなる場合も収容される、円筒状に研磨されたレンズ縁１２を有する。
【００３７】
理想的な場合に、レンズＬ１〜Ｌ７は、その光軸がすべて、同時に円筒状のレンズ縁１２の対称軸でもある共通参照軸１４上にあるように、正しい方向に置かれている。参照軸１４は、一般に光学系１０の光軸として示される。
【００３８】
しかし、実際の光学系では、製造及び組み立てへの耐性という理由で、理想的な方向付けからのずれが生じる。図２は、レンズＬ５を例に、レンズマウント内のレンズＬ５のわずかな（しかし、図２では大げさに示されている）偏心（tilting）が、センタリング状態（centring state）にどのように影響を与えるかを示す。ここで、レンズＬ５の２つのレンズ表面Ｓ５１及びＳ５２は球面であり、それぞれ図２にＫ５１及びＫ５２により示される曲率中心を有すると仮定する。曲率中心Ｋ５１及びＫ５２は、レンズＬ５の光軸を定義する。その光軸は、図２に点線１６により示される。この定義により、光軸１６は、レンズＬ５の球面光学面Ｓ５１及びＳ５２に対して常に垂直になる。非球面レンズの場合に、光軸は、非球面レンズ表面の球面部分の曲率中心により定義される。
【００３９】
例えば、レンズＬ５の偏心（tilting）は、レンズＬ５がレンズマウントに正しく挿入されなかったという事実により生じているかもしれない。この理由として、例えば、レンズ縁１２が、その対称軸がレンズＬ５の光軸１６と揃うように研磨されなかったという可能性が考慮される。
【００４０】
レンズＬ５を光学系１０の参照軸１４上に正確に正しい方向に置くために、レンズＬ５は、図１で仮定したように、光軸１６が参照軸１４と揃うように、参照軸１４に対して垂直に偏心（tilted）され、必要に応じて、さらに移動されなければならないだろう。
【００４１】
図１に示されるような多レンズ光学系の場合に、個々のレンズの光軸は、一般に、センタリング状態の質により、参照軸１４に対してより大きく又は小さく不規則に分布する。このことは、図３に、曲率中心Ｋ１１及びＫ１２、Ｋ２１及びＫ２２、Ｋ３１及びＫ３２、並びにＫ４１及びＫ４２の４枚のレンズを有する光学系を例に示される。４枚のレンズの光軸は、１６１、１６２、１６３、及び１６４により示される。そのような光学系でレンズのセンタリングを改善するために、いくつかのレンズは、すべての光軸１６１、１６２、１６３、及び１６４が参照軸１４と揃うように、移動により偏心（tilted）及び／又は再配置されなければならない。
【００４２】
時には、図４が示すように、レンズの光軸は（少なくともほぼ）共通光軸１６’上に配置されているが、その光軸は参照軸１４と揃っていないということも起こるかもしれない。そのような場合に、個々のレンズを再調節するのではなく、光学系全体が、例えばレンズマウント又は目的の筐体により予め定められた参照軸１４に対してではなく、上位ユニットの光軸１６’に対して調節されるように、光学系全体を上位ユニットに組み込むことがより好ましいかもしれない。
【００４３】
必要に応じて、光学系の個々のレンズ又は光学系全体を再調節することを可能にし、正規の品質保証（regular quality assurance）のためにも、光学面の曲率中心の位置が高精度に測定され得る本発明の測定装置が採用される。曲率中心の位置から、個々のレンズの光軸の位置及びその参照軸１４からのずれが決定され得る。さらに、それから導出される物理量、例えば光学面の曲率半径を決定できる。以下の第２節では、第３節で測定工程が扱われる前に、図５〜８を参照し、最初に本発明の測定装置の構造が説明される。
【００４４】
２．測定装置の構造
図５に子午線的断面図で示され、２０により全体が示される測定装置は、角度測定デバイスとして用いられるオートコリメータ２２と、間隔測定デバイスとして用いられる干渉計２４と、コンピュータ２６の形式の計算ユニットとを有する。測定装置２０は、輪状回転テーブル３０により支持される試験片レセプタクル（test-specimen receptacle）２８をさらに有する。回転テーブル３０は、その上に配置される試験片レセプタクル２８と共に、矢印３６により示されるように、モータ３２を用いて参照軸３４の周りを回転可能である。回転テーブル３０は、モータ３２と共に、測定装置２０の回転機構を構成する。
【００４５】
オートコリメータ２２は、ピンホール絞り４０を角度測定光で照らす光源３８を有する。ピンホール絞り４０から発する角度測定光は、ビーム分割器４２を介してコリメータレンズ４４に向けられ、コリメータレンズ４４から軸方向に平行な光線束として離れる。参照軸３４に沿って移動可能なズームレンズ４６は、軸方向に平行な角度測定光を焦点４８に集光させる。焦点４８に、ピンホール絞り４０の像が結果として生じる。ピンホール絞り４０の代わりに、異なる形状の開口部、例えば十字スリット開口部を有する絞りが選択されれば、十字スリットの像がズームレンズ４６の焦点面に生じる。
【００４６】
ビーム分割器４２の後側に、像センサ５０が配置される。その像センサにより、光敏感（light-sensitive）位置決定センサが理解される。像センサとして適切なものは、例えば、そのようなものとして知られるＣＣＤセンサ又はＣＭＯＳセンサである。
【００４７】
オートコリメータ２２の動作は、図６及び７を参照し、以下に説明される。オートコリメータ２２から発する角度測定光は、試験片に向けられる。その場合に、便宜上、球５２の問題となる。ピンホール絞り４０の像が球５２の中心５４に正確にあれば、このことは、オートコリメータ２２から発する角度測定光が常に球５２の表面５６に垂直に入射することを意味する。結果として、この角度測定光は、球の表面５６で自身に反射され、ズームレンズ４６、コリメータレンズ４４、及び一部はビーム分割器４２を通り、像センサ５０上にピンホール絞り４０の像を生成する。その像は、参照軸３４に対して中心にある。
【００４８】
図７は、球５２が参照軸３４に対して垂直に再配置された場合のビーム路を示す。この再配置により、光線は、もはや球５２の表面５６に垂直に当たらず、この理由により、自身に反射されない。この理由により、図７に点線で示される反射された角度測定光５８は、像センサ５０上に、参照軸３４に対して垂直に移動しているピンホール絞り４０の像６０を生成する。
【００４９】
球５２が回転テーブル３０上で参照軸３４の周りを回転すれば、像６０は像センサ５０上に円軌道を描く。参照軸に対するこの円軌道の中心点の位置から、参照軸３４に対して球５２の中心５４がある位置を確認できる。
【００５０】
球５２の偏心（decentring）は、最終的に、オートコリメータ２２に面する表面５６の一部の偏心（tilting）を示すので、オートコリメータ２２は、最終的に、参照軸３４に対して球５２の表面５６が有する角度を測定する。この理由により、オートコリメータは、広義には角度測定デバイスを意味する。従って、オートコリメータ２２の代わりに、非接触で動作する他の角度測定デバイスが採用されてもよい。
【００５１】
球面を有するレンズの場合に、この測定手続は同様に動作するが、測定は、球の場合のように球の中心の位置をもたらすのではなく、問題の球面の曲率中心の位置をもたらす。
【００５２】
以下では、図５が再び参照される。そこに示される実施形態では、便宜上、６２により示される試験片は、レンズＬ３及びＬ４から構成される、図１に示されるダブレットだけからなると仮定する。試験片６２は、結果として、検査される３つの光学面Ｓ１、Ｓ２、及びＳ３を有し、その曲率中心は、Ｋ１、Ｋ２、及びＫ３により示される。図５で識別され得るように、これらの曲率中心Ｋ１、Ｋ２、及びＫ３は、参照軸３４上にも、正確に別の直線上にもない。
【００５３】
以下では、干渉計２４の構造がより詳細に説明される。干渉計２４は、短コヒーレンス（short-coherence）干渉計の形式をとり、この目的のために、レーザ光の光源に比べてスペクトル的に広帯域であり、その場合に、例えば高輝度（superluminescent）ダイオードの問題かもしれない、光源６４を有する。比較的広いスペクトル帯域幅により、光源６４により生成される光は、レーザ光の光源により生成される光よりも、かなり短いコヒーレンス長を有する。代替方法として、極短光パルスを生成するレーザ光の光源が用いられてもよい。なぜなら、そのような光パルスも、短コヒーレンス長を有するからである。
【００５４】
光源６４により生成される間隔測定光は、収束レンズ６６により集光され、間隔測定光を試験片６２に向けられる測定光線７０と参照光線７２に分割する、ビーム分割キューブ６８に向けられる。参照光線７２は、アクチュエータ７６を用いてビーム方向に沿って移動可能なミラー７４により、自身に反射される。このように、ビーム分割キューブ６８とミラー７４の間の、参照光線７２の光路長は変更され得る。
【００５５】
測定光線７０は、光学列７８を介して試験片６２に向けられる。光学面Ｓ１、Ｓ２、及びＳ３で反射された測定光線８０は、光学列７８を介してビーム分割キューブ６８に戻り、一部はそのキューブから光検出器８２の方向に反射される。反射された測定光線８０は、ミラー７４から反射された参照光線７２と重畳する。
【００５６】
測定光線７０及び参照光線７２が光検出器８２に向かって進んだときの光路長の差が、光源６４により生成される間隔測定光のコヒーレンス長の１０倍であれば、光検出器８２により記録される干渉現象が起こる。光源６４により生成される間隔測定光のコヒーレンス長が短いので、光検出器８２は、前述の条件が満たされれば経路長に関して厳しく制限される出力信号を生成する。
【００５７】
図８は、光検出器８２により記録される強度Ｉが、参照光線７２が進む光路長ＯＰＬ上に描かれているグラフの例を示す。この光路長は、測定の間にミラー７４を移動することにより変更される。測定光線７０及び参照光線７２の光路長が一致するときはいつでも、干渉信号は光検出器８２で記録され得る。横座標上に、光検出器８２で対応する干渉信号をもたらす表面Ｓ３、Ｓ２、及びＳ１が指定されている。
【００５８】
測定信号の包絡線８３の最大値の位置から、群屈折率を考慮し、表面Ｓ１、Ｓ２、及びＳ３の間隔が非常に高い精度で決定され得る。
【００５９】
実際の測定信号の場合に、さらなる干渉信号は、一般に包絡線８３間にあり、例えば、試験片６２内での複数の反射によりもたらされ、時には比較的高いレベルに達するかもしれない。そのような干渉信号が測定を妨げないように、包絡線８３の周りに置かれる弁別窓（discriminator window）を用いて、干渉信号はマスクされ得る。弁別窓は、干渉信号が予期される位置に自動的に優先的に置かれ、表面Ｓ１、Ｓ２、及びＳ３の望まれる間隔を基礎としてとる。できる限り多くの測定光が、試験片６２の表面Ｓ１、Ｓ２、及びＳ３から反射され、光検出器８２に入力され得るために、測定光線７０は、光学列７８を用いて試験片６２に適合され得る。
【００６０】
短コヒーレンス干渉計を用いた透明体の厚みの検査に関するさらなる詳細は、仏国特許出願公開第２８０３０２７号明細書から収集され得る。原理上適切な短コヒーレンス干渉計は、とりわけＦＯＧＡＬＥ  ｎａｎｏｔｅｃｈ，Ｎｉｍｅｓ，Ｆｒａｎｃｅにより販売されている。
【００６１】
図９は、干渉計２４が試験片６２に対してオートコリメータ２２と同側に配置される別の実施形態による、本発明の測定装置２０を示す。従って、光学面Ｓ１、Ｓ２、及びＳ３の曲率中心Ｋ１、Ｋ２、及びＫ３の位置及びその相互の間隔の測定は、試験片６２に対して同側で行われる。
【００６２】
この目的のために、測定装置２０は、第１のビーム分割キューブ６８から反射された光を測定光線７０及び参照光線７２に分割する第２のビーム分割キューブ９０を示す。この実施形態では、第１のビーム分割キューブ６８は、光源６４により生成される光を、光検出器８２を有する干渉計２４のアーム（arm）に結合させる役割を有するにすぎない。この実施形態では、ズームレンズ４６は、角度測定光及び間隔測定光７０を集光させる役割を果たす。それ以外には、図５及び９に示される測定装置２０は、機能的に同一である。
【００６３】
３．測定工程
以下では、図１０に示されるフローチャートを参照し、本発明の測定工程がより詳細に説明される。
【００６４】
ａ）事前調節
最初に、オートコリメータ２２の光軸、回転テーブル３０の回転軸、及び干渉計２４の測定光線７０は、共通参照軸３４上にあるように、相互に正しい方向に置かれていると仮定する。そのような調節は、測定装置２０を初めて作動させる前に、一度だけ行われる。
【００６５】
最初に、回転テーブル３０の回転軸の、オートコリメータ２２の光軸との平行性を達成するために、平面ミラーが回転テーブル３０の開口部に置かれ得る。オートコリメータ２２及び回転テーブル３０は、像センサ５０上のピンホール絞り４０の像がオートコリメータ２２の光軸に対して正確に中心に置かれるまで、相互に調節される。
【００６６】
次のステップでは、オートコリメータ２２の光軸及び回転テーブル３０の回転軸の正確な同軸方向付けを達成するために、球面レンズが輪状回転テーブル３０の開口部に挿入される。オートコリメータ２２及び回転テーブル３０は、像センサ５０上のピンホール絞り４０の像がオートコリメータの光軸に対して再度中心に置かれるまで、相互に調節される。
【００６７】
同様に、干渉計２４は、回転テーブル３０に対して正しい方向に置かれ得る。共通参照軸３４に対して最適な方向付けは、平面ミラー及び球面レンズが採用された場合に、光検出器８２により記録される強度が最大のときに得られる。
【００６８】
ｂ）間隔測定
多レンズ試験片６２の曲率中心の位置を測定する目的のために、最初にステップＳＴ１では、表面Ｓ１、Ｓ２、及びＳ３の間隔が干渉計２４を用いて測定される。しかし、再現可能かつ精度のよい測定結果を得るために、この場合に、干渉計２４の測定光線７０は、試験片６２の光軸に対して非常に精度よく正しい方向に置かれなければならない。測定光線４０が光学面Ｓ１、Ｓ２、及びＳ３に垂直に入射する場合に限り、表面Ｓ１、Ｓ２、及びＳ３から反射された十分な測定光が光検出器８２に戻り、参照光線７２との干渉に貢献できる。このことは、曲率中心Ｋ１、Ｋ２、及びＫ３が参照軸３４上にあるという要件と同等である。
【００６９】
しかし、一般に、この条件は受け入れられない。なぜなら、図５に示されるように、試験片６２は、最初に回転テーブル３０上で偏心（tilted and/or decentred）した状態に保持されるからである。この理由により、一般に、試験片６２を収容する試験片レセプタクル２８を、曲率中心Ｋ１、Ｋ２、及びＫ３により定義される試験片６２の光軸が参照軸３４と揃うように、最初に干渉計２４に対して正しい方向に置く必要がある。すでに事前調節された干渉計２４の場合に、このことは、試験片６２を収容する試験片レセプタクル２８が回転テーブル３０上で偏心（tilted）及び／又は移動されることを意味する。
【００７０】
しかし、試験片６２の光軸は、そもそもまったく不明である。この理由により、干渉計２４に対する試験片６２の方向付けの前に、試験片６２の光軸を一時的に決定する必要がある。この目的のために、いくつかの可能性が考慮される。
【００７１】
ｉ）曲率中心の位置の一時的測定
１つの可能性は、間隔の測定の前に、表面Ｓ１、Ｓ２、及びＳ３の曲率中心の位置を一時的に決定し、試験片６２の光軸を導出することにある。曲率中心の位置がオートコリメータ２２を用いてどのように測定されるかは、以下に３．ｃ）節でより詳細に説明される。
【００７２】
一時的に決定された曲率中心Ｋ１、Ｋ２、及びＫ３からの試験片６２の光軸の導出は、様々な方法で行われ得る。例えば、試験片６２の光軸として定義される回帰直線が、曲率中心Ｋ１、Ｋ２、及びＫ３を通って置かれ得る。回帰直線の定義に関連して、曲率中心Ｋ１、Ｋ２、及びＫ３の重み付けも行われ得る。その重み付けは、例えば、問題の表面の曲率半径に適合される。図５には、そのように決定された一時的な光軸が、点線により示され、９２により示される。
【００７３】
光軸９２の決定は一時的なものにすぎず、最高精度を要求しないので、光軸９２はより簡便に定義され得る。例えば、最初の表面Ｓ１及び最後の表面Ｓ３それぞれの曲率中心Ｋ１及びＫ３だけが、一時的な光軸がこれらの曲率中心を通るように、考慮されてもよい。
【００７４】
ii）透過測定（measurement in transmission）
試験片６２の光軸９２を一時的に決定する別の可能性は、試験片６２に光を透過させることにある。この目的のために、試験光線を試験片６２に向けるために、干渉計２４の白色光源６４が利用される。試験光線は、試験片６２を通過し、ズームレンズ４６、コリメータレンズ４４、及びビーム分割器４２も通過し、像センサ５０上に光点を生成する。曲率中心Ｋ１、Ｋ２、及びＫ３が参照軸３４上にあれば、試験光線は、光学面Ｓ１、Ｓ２、及びＳ３を垂直に通過し、結果として参照軸３４に沿って直線的に伝わる。
【００７５】
しかし、一般に、曲率中心Ｋ１、Ｋ２、及びＫ３は、参照軸３４上にあるとは限らない。試験光線は、表面Ｓ１、Ｓ２、及びＳ３に垂直ではなく、斜めに当たり、試験片６２を通過するときに、表面Ｓ１、Ｓ２、及びＳ３での屈折により偏向される。この屈折により、像センサ５０上の光点も、参照軸３４から移動される。
【００７６】
試験片６２への試験光の通過の間に、試験片６２が回転テーブル３０を用いて参照軸３４の周りを回転されれば、像センサ５０上の光点も参照軸３４の周りを移動する。しかし、この光点の経路から、曲率中心Ｋ１、Ｋ２、及びＫ３の位置は、定量的に推測され得ない。しかし、試験片６２を収容する試験片レセプタクル２８が、像センサ５０上の光点の円軌道が最小直径を有するまで偏心（tilted）及び／又は移動されれば、参照軸３４からの曲率中心Ｋ１、Ｋ２、及びＫ３の間隔も最小である。試験片６２の光軸は、測定装置２０の参照軸３４に対して望まれるように、十分に正しい方向に置かれる。
【００７７】
iii）シミュレーション
回転テーブル３０上で試験片２８を調節するさらなる可能性は、オートコリメータ２２を用いて、変形ｉ）と同様に、試験片６２の表面Ｓ１、Ｓ２、及びＳ３の曲率中心Ｋ１、Ｋ２、及びＫ３の位置を一時的に決定することにある。事前に測定された曲率中心Ｋ１、Ｋ２、及びＫ３を有する試験片６２が回転テーブル３０に対して最適に正しい方向に置かれていれば、シミュレーションを用いて、例えばレイトレーシング工程を用いて、光検出器８２で記録される強度が確認される。そのような最適な方向付けは、曲率中心Ｋ１、Ｋ２、及びＫ３が平均して参照軸３４のできる限り近くにあるという事実により定義されていてもよい。必要に応じて、修正された基準が用いられてもよい。回転テーブル３０上の試験片６２の偏心（tilting）及び／又は移動は、事前に計算された強度が光検出器８２により記録されるまで行われる。
【００７８】
試験片６２が上述の３つの変形ｉ）〜iii）のうちの１つに従って測定装置２０の参照軸３４に対して最適に正しい方向に置かれた後に、表面Ｓ１、Ｓ２、及びＳ３の間隔が干渉計２４を用いて測定される。この目的のために、参照光線７２の光路長が上述のようにミラー７４を移動させることにより調整され、光検出器８２の干渉信号が記録及び評価される。
【００７９】
ｃ）曲率中心の位置の測定
次のステップＳＴ２では、表面Ｓ１、Ｓ２、及びＳ３の曲率中心Ｋ１、Ｋ２、及びＫ３の位置がオートコリメータ２２を用いて検査される。これに関連して、手続は以下のとおり。
【００８０】
多レンズ試験片６２の場合に、光学面Ｓ１、Ｓ２、及びＳ３の曲率中心Ｋ１、Ｋ２、及びＫ３の位置を測定するために、いくつかの測定手続が連続して行われなければならない。その際に、例えば、オートコリメータ２２の最も近くにある光学面から開始される。試験片６２の場合に、この光学面は表面Ｓ１である。
【００８１】
表面Ｓ１の曲率中心の位置を決定する目的ために、オートコリメータ２２のズームレンズ４６は、角度測定光の焦点４８が設計データに基づいて予期される曲率中心の近くにあるように移動される。そして、回転テーブル３０が回転され、像センサ５０上のピンホール絞り４０の像の移動が記録される。第２節で図６及び７を参照して上述したように、表面Ｓ１の曲率中心Ｋ１の位置は、参照軸３４の周りの試験片の回転の間に像センサ５０上のピンホール絞り４０の像が移動する円軌道の中心点から導出され得る。
【００８２】
最初の表面Ｓ１の曲率中心Ｋ１の位置が確認された後に、ズームレンズ４６は、角度測定光の焦点４８が少なくともほぼ光の伝搬の方向の次の表面Ｓ２の曲率中心Ｋ２に来るように移動される。しかし、オートコリメータ２２から発する角度測定光は、事前にすでに検査された表面Ｓ１も通過するので、次の測定の間に得られる測定値は、最初の表面Ｓ１の光学的効果により計算的に補正されなければならない。これに関連して、ステップＳＴ３では、すでに検査された表面Ｓ１の曲率中心Ｋ１の位置が計算的に考慮され、ステップＳＴ４では、干渉計２４を用いてすでに測定された、参照軸３４に沿った２つの表面Ｓ１及びＳ２の間隔が計算的に考慮される。ステップＳＴ３及びＳＴ４は、一般に、測定手続全体の最後の共通補正計算の一部である。
【００８３】
最初の表面Ｓ１の光学的効果の決定に関連して、通常、この表面の曲率半径が必要とされる。球面レンズの場合に、曲率半径は、曲率中心Ｋ１、Ｋ２、及びＫ３の位置並びに表面Ｓ１、Ｓ２、及びＳ３の間隔から直接導出され得る。代替方法として、曲率半径は、表面Ｓ１の設計データから得られてもよいし、追加の測定手続でオートコリメータ２２を用いて測定されてもよい。なぜなら、球面レンズの場合の曲率半径は、曲率中心Ｋ１と光学面Ｓ１上の任意の点との間隔に等しいからである。そのような点の位置は、光学面Ｓ１に置かれる、ズームレンズ４６の焦点４８により、簡便に測定され得る。像センサ５０上に生じるピンホール絞り４０の像は、最大強度を有する。
【００８４】
同様に考慮される、参照軸３４に沿った最初の表面Ｓ１及び次の表面Ｓ２の間隔について、従来技術のように、設計データに基づくのではなく、干渉計２４を用いて事前に確認された、この間隔の測定値に基づくことが強調されるべきである。
【００８５】
試験片６２の残りのすべての光学面について、曲率中心の位置の測定は同様に行われる。これに関連して、ステップＳＴ３及びＳＴ４に従った、前方にあるすべての表面の曲率中心の位置、及び前方にある表面の干渉計により測定された間隔は、常に計算的に考慮される。このように、すべての曲率中心Ｋ１、Ｋ２、及びＫ３の空間的配置が得られる。
【００８６】
試験片６２の光軸９２を一時的に決定し、間隔測定の目的のために、試験片６２を参照軸３４上に正しい方向に置けるように、曲率中心Ｋ１、Ｋ２、及びＫ３の位置の検査が事前にすでに行われていれば、ステップＳＴ２でのこの測定は繰り返され得る。なぜなら、所定の環境下で、曲率中心Ｋ１、Ｋ２、及びＫ３の位置の測定に関連するより高い精度は、より正しい方向に置かれた試験片６２により得られるからである。しかし、代替方法として、この目的のために、すでに得られた測定の結果、即ち、個々の表面Ｓ１、Ｓ２、及びＳ３について像センサ５０上に得られた光のパターンを用い、以前ステップＳＴ１で精度よく検査された、表面Ｓ１、Ｓ２、及びＳ３の間隔を計算的評価で考慮することが、同様に可能である。ステップＳＴ１及びＳＴ２は、逆の順番で行われる。
【００８７】
さらに、曲率中心Ｋ１、Ｋ２、及びＫ３の位置の測定を、上述のように光学面Ｓ１、Ｓ２、及びＳ３の順番ではなく、望まれる曲率中心の順番で行ってもよい。図５に示される試験片の場合に、このことは、オートコリメータ２２の焦点４８が、そもそも最初の表面Ｓ１の予期される曲率中心Ｋ１にではなく、オートコリメータ２２の最も近くにある表面Ｓ３の曲率中心Ｋ３に置かれることを意味する。この測定ステップの後に、ズームレンズ４６は、焦点４８が次に近くにある曲率中心（ここでは、次の表面Ｓ２の曲率中心Ｋ２）等にほぼ置かれるように移動される。このように、ズームレンズ４６は、測定ステップ間で最小移動経路を進むことが保証される。同様の理由により、測定は、逆の順番で、即ち、オートコリメータから最も遠くにある曲率中心の位置の測定から行われてもよい。この場合に、ステップＳＴ３及びＳＴ４に従った、曲率中心の測定された位置及び間隔の計算的考慮は、すべての測定されたデータの記録の後に共通反復評価工程で行われ得るという事実が、いかなる場合も利用される。
【００８８】
測定の結果は、試験片６２の曲率中心の非常に正確な決定であり、光学面Ｓ１、Ｓ２、及びＳ３の実際の間隔の、設計データからのずれによっても反証されない。正確に確認された曲率中心及び測定された間隔から、コンピュータ２６は、曲率半径も正確に決定できる。非常に精度よく測定された空気分離及び試験片６２のレンズの中心の厚みが、測定の有益な結果としてさらに得られる。結果として、とりわけ曲率中心の位置について望まれる値を含む、設計データの組から始まり、レンズ間の空気分離及びレンズの中心の厚み、即ち、補正された実際のデータの組が得られる。規定された望まれる値は、高精度な測定値により置換されている。
【図１】
0005902448.tif 000003
【図２】
0005902448.tif 000004
【図３】
0005902448.tif 000005
【図４】
0005902448.tif 000006
【図５】
0005902448.tif 000007
【図６】
0005902448.tif 000008
【図７】
0005902448.tif 000009
【図８】
0005902448.tif 000010
【図９】
0005902448.tif 000011
【図１０】
0005902448.tif 000012